(57)【要約】本発明に係る吸収性物品１では、長手方向Ｌの中央領域内の一対の溝の各々１０は、幅方向Ｗの内側に凸に湾曲するように形成されている第１部分３Ａと、第１部分３Ａの両端に連結されており幅方向Ｗの外側に凸に湾曲するように形成されている第２部分３Ｂ及び第３部分３Ｃとを有しており、第１部分３Ａの曲率半径は第２部分３Ｂ及び第３部分３Ｃの曲率半径よりも小さく、第２部分３Ｂ及び第３部分３Ｃにおける幅方向Ｗの最も外側の部分を形成する側面１３Ｂ１、１３Ｃ１に対向する側面１３Ｂ２及び１３Ｃ２を結ぶ仮想直線Ｖ１は、第１部分３Ａにおける幅方向Ｗの最も内側の部分を形成する側面１３Ａ１に対抗する側面１３Ａ２よりも、幅方向Ｗの外側に位置する。
2010030007.tif 000002
【特許請求の範囲】
【請求項１】
吸収層を具備する吸収性物品であって、
前記吸収層の肌当接面側の側縁部に、一対の溝が設けられており、
前記一対の溝は、前記吸収層の長手方向に延びる中心線に対して略線対称な形状を有しており、
前記長手方向の中央領域内の前記一対の溝の各々は、該吸収層の幅方向の内側に凸に湾曲するように形成されている第１部分と、該第１部分の両端に連結されており該幅方向の外側に凸に湾曲するように形成されている第２部分及び第３部分とを有しており、
前記中央領域の中央において、前記第１部分が配置されており、
前記第１部分の曲率半径は、前記第２部分及び前記第３部分の曲率半径よりも小さく、
前記第２部分における前記幅方向の最も外側の部分を形成する側面に対向する側面及び前記第３部分における該幅方向の最も外側の部分を形成する側面に対向する側面を結ぶ仮想直線が、前記第１部分における該幅方向の最も内側の部分を形成する側面に対向する側面よりも、該幅方向の外側に位置するように構成されていることを特徴とする吸収性物品。
【請求項２】
前記中央領域は、前記吸収性物品を折り畳む際の２本の折り目間に位置していることを特徴とする請求項１に記載の吸収性物品。
【請求項３】
前記第２部分の曲率半径と前記第３部分の曲率半径とは、略同一であり、
前記第２部分及び前記第３部分は、前記第１部分の前記幅方向に延びる中心線に対して略線対称な形状を有していることを特徴とする請求項１又は２に記載の吸収性物品。
【請求項４】
前記一対の溝を形成する底面には、高圧搾部分と、該高圧搾部分よりも低い段差をなす低圧搾部分とが設けられており、
前記低圧搾部分は、連続するように構成されていることを特徴とする請求項１乃至３のいずれか一項に記載の吸収性物品。
【請求項５】
前記吸収性物品は、前記中央領域の前記長手方向の外側に、前方領域及び後方領域を有しており、
前記前方領域及び前記後方領域内の前記一対の溝の各々は、前記吸収層の幅方向の外側に凸に湾曲するように形成されている第４部分及び第５部分をそれぞれ有していることを特徴とする請求項１乃至４のいずれか一項に記載の吸収性物品。
【請求項６】
前記第４部分及び前記第５部分の曲率半径は、前記第２部分及び前記第３部分の曲率半径よりも大きいことを特徴とする請求項５に記載の吸収性物品。
【請求項７】
前記第２部分及び前記第３部分の前記長手方向の外側に、前記幅方向に延びる溝部が形成されていることを特徴とする請求項１乃至６のいずれか一項に記載の吸収性物品。
【請求項８】
前記溝部の左右両端は、前記一対の溝から離隔していることを特徴とする請求項７に記載の吸収性物品。
【発明の詳細な説明】
【技術分野】
【０００１】
本発明は、吸収層を具備する吸収性物品に関する。
【背景技術】
【０００２】
従来、表面シート及び吸収体によって構成されている吸収層の肌当接面側に、溝を設けることによって、使用者に着用された際に、かかる吸収体を肌側に向かって隆起させて、優れた装着感を提供することができる吸収性物品が知られている（例えば、特許文献１及び２参照）。
【先行技術文献】
【特許文献】
【０００３】
【特許文献１】特開２００２-２８２３０４号公報
【特許文献２】特開２００６-３２５６３９号公報
【発明の概要】
【発明が解決しようとする課題】
【０００４】
しかしながら、従来の吸収性物品では、上述の吸収層の長手方向の中央領域内の溝が、滑らかな曲線によって形成されているため、かかる吸収性物品が使用者に着用された際に生じる当該中央領域における当該吸収層の幅方向の外側からの力に応じて、かかる溝を形成する底面が、垂直方向に立ち上がり難い。【０００５】
したがって、従来の吸収性物品では、かかる吸収性物品が使用者に着用された際に、当該中央領域において当該吸収層の幅方向の外側からの力が生じた場合であっても、かかる溝を形成する底面によって、肌側に隆起した吸収体を支えることが困難であり、かかる吸収体が、肌側からの力によって隆起する前の状態に戻り易く、使用者の身体と当該吸収体との間に隙間が生じ易くなり、漏れが生じ易いという問題点があった。【０００６】
そこで、本発明は、上述の課題に鑑みてなされたものであり、使用者に着用された際に、吸収層の肌当接面側に設けられた溝を形成する底面によって、肌側に隆起した吸収体を支えることができる吸収性物品を提供することを目的とする。
【課題を解決するための手段】
【０００７】
本発明の第１の特徴は、吸収層を具備する吸収性物品であって、前記吸収層の肌当接面側の側縁部に、一対の溝が設けられており、前記一対の溝は、前記吸収層の長手方向に延びる中心線に対して略線対称な形状を有しており、前記長手方向の中央領域内の前記一対の溝の各々は、該吸収層の幅方向の内側に凸に湾曲するように形成されている第１部分と、該第１部分の両端に連結されており該幅方向の外側に凸に湾曲するように形成されている第２部分及び第３部分とを有しており、前記中央領域の中央において、前記第１部分が配置されており、前記第１部分の曲率半径は、前記第２部分及び前記第３部分の曲率半径よりも小さく、前記第２部分における前記幅方向の最も外側の部分を形成する側面に対向する側面及び前記第３部分における該幅方向の最も外側の部分を形成する側面に対向する側面を結ぶ仮想直線は、前記第１部分における該幅方向の最も内側の部分を形成する側面に対向する側面よりも、該幅方向の外側に位置するように構成されていることを要旨とする。
【発明の効果】
【０００８】
以上説明したように、本発明によれば、使用者に着用された際に、吸収層の肌当接面側に設けられた溝を形成する底面によって、肌側に隆起した吸収体を支えることができる吸収性物品を提供することができる。
【図面の簡単な説明】
【０００９】
【図１】図１は、本発明の第１の実施形態に係る吸収性物品の表面シート側から見た平面図である。
【図２】図２は、本発明の第１の実施形態に係る吸収性物品の吸収層の肌当接面側に設けられた溝の底面の拡大図である。
【図３】図３は、本発明の第１の実施形態に係る吸収性物品の吸収層の肌当接面側に設けられた溝の中央領域における形状を示す図である。
【図４】図４は、本発明の変更例１に係る吸収性物品の表面シート側から見た平面図である。
【発明を実施するための形態】
【００１０】
（本発明の第１の実施形態に係る吸収性物品の構成）
図１乃至図３を参照して、本発明の第１の実施形態に係る吸収性物品の構成について説明する。図１は、本実施形態に係る吸収性物品１を、表面シート側（使用者の肌当接面側）から見た平面図である。
【００１１】
なお、本実施形態では、本発明に係る吸収性物品１の代表として、昼用ナプキンについて説明しているが、本発明は、これに限定されることなく、夜用ナプキンや失禁パッドやオムツやパンティーライナー等にも適用できるものとする。
【００１２】
本実施形態に係る吸収性物品１は、液透過性の表面シートと、液不透過性の裏面シートと、表面シートと裏面シートとの間に配置される吸収体と、不織布によって構成されており両側縁部から側方に延出して形成されるフラップ部とを具備する。なお、本実施形態に示されるフラップ部は、なくてもよい。
【００１３】
本発明に係る吸収性物品は、従来技術において、これらの技術に関する周知の技術を組み合わせることにより製造されてもよい。例えば、表面シート、裏面シート、及び、吸収体は、熱溶着、ホットメルト、またはそれに近い製法により、吸収性物品に接続されてもよい。
【００１４】
例えば、表面シートは、天然繊維又は化学繊維によって構成されている織布及び／または、不織布との組み合わせによって構成されてもよい。ここで、天然繊維の例としては、粉砕パルプやコットン等のセルロースを含むものが挙げられる。また、化学繊維の例としては、レーヨン、フィブリルレーヨン等の再生セルロース、アセテート、トリアセテート等の半合成セルロース、熱可塑性疎水性化学繊維、若しくは、親水化処理を施した熱可塑性疎水性化学繊維が挙げられる。また、熱可塑性疎水性化学繊維の例としては、ポリエチレン（ＰＥ）、ポリプロピレン（ＰＰ）、ポリエチレンテレフタレート（ＰＥＴ）等の単繊維、ＰＥとＰＰとをグラフト重合してなる繊維、芯鞘構造等の複合繊維が挙げられる。
【００１５】
また、吸収体は、パルプや化学パルプやレーヨンやアセテートや天然コットンや高分子吸収体や繊維状高分子吸収体や合成繊維や発泡体等を単独又はこれらを混合したものからなり、型崩れし難く化学的刺激が少ないものであることが好ましい。
【００１６】
ここで、吸収体は、１層の吸収体によって構成されていてもよいし、複数層の吸収体によって構成されていてもよい。また、表面シートと吸収体との間には、クッションシートや拡散シート等のシートが配置されていてもよい。
【００１７】
かかる表面シート及び吸収体（かかるシートを含む）によって、吸収層２が構成されているものとする。
【００１８】
さらに、裏面シートは、厚さ１５〜６０μｍのポリエチレンやポリプロピレンやポリエチレンテレフタレートやポリビニルアルコールやポリ乳酸やポリブチルサクシネートや不織布や紙やこれらのラミネート材料等によって構成されていることが好ましい。また、裏面シートは、無機フィラーを充填させて延伸処理を施すことで得られる通気性フィルムによって構成されていてもよい。
【００１９】
図１に示すように、本実施形態に係る吸収性物品１における吸収層２の肌当接面側の側縁部に、一対の溝１０、１０が設けられている。そして、かかる一対の溝１０、１０は、吸収層２の長手方向Ｌに延びる中心線Ｙに対して略線対称な形状を有している。
【００２０】
また、本実施形態に係る吸収性物品１は、吸収層２の長手方向Ｌに沿って、中央領域Ａと、かかる中央領域Ａの長手方向Ｌの外側に、前方領域Ｂ及び後方領域Ｃを有している。
【００２１】
ここで、中央領域Ａは、吸収層２の幅方向Ｗに延びる中心線Ｘを含む領域、或いは、排泄部に当接する部分を含む領域である。かかる中央領域Ａは、吸収性物品１を３つに折り畳んで個包装する際の２本の折り目１００Ａ、１００Ｂ２間に位置している。具体的には、かかる中央領域Ａは、吸収層２の幅方向Ｗに延びる線１００Ｂ１と折り目１００Ａとによって規定される領域である。本実施形態において、中央領域Ａは、吸収性物品１を３つに折り畳んで個包装する際の２本の折り目１００Ａ、１００Ｂ２間に位置しているが、折り目は、異なる場所に位置しても良いし、形成されず、無くてもよい。
【００２２】
また、長手方向Ｌの中央領域Ａ内の一対の溝１０、１０の各々は、吸収層２の幅方向Ｗの内側に凸に湾曲するように形成されている第１部分３Ａと、第１部分３Ａの両端に連結されており幅方向Ｗの外側に凸に湾曲するように形成されている第２部分３Ｂ及び第３部分３Ｃとを有している。すなわち、溝１０の各々は、連続的に形成される第１部分３Ａ、第２部分３Ｂ及び第３部分３Ｃを有している。
【００２３】
また、前方領域Ｂ及び後方領域Ｃ内の一対の溝１０、１０の各々は、吸収層２の幅方向Ｗの外側に凸に湾曲するように形成されている第４部分４Ａ及び第５部分４Ｂをそれぞれ有している。本実施形態において、第４部分４Ａ及び第５部分４Ｂが示されているが、第４部分４Ａ及び第５部分４Ｂは、無くてもよい。もし、第４部分４Ａ及び第５部分４Ｂが、両方とも無い場合、溝１０の各々は、第１部分３Ａ、第２部分３Ｂ及び第３部分３Ｃにより構成される。
【００２４】
ここで、中央領域Ａの中央において、かかる第１部分３Ａが配置されている。本実施形態においては、中央領域Ａは、中心線Ｘ上に、位置する。しかしながら、他の実施形態においては、例えば、図４の第２の実施形態に示すように、中央領域Ａの中央は、中心線Ｘ上に、位置していなくてもよい。また、第２部分３Ｂ及び第３部分３Ｃは、本実施形態において中心線Ｘ上に位置する第１部分３Ａの幅方向Ｗに延びる中心線に対して略線対称な形状を有している。本実施形態においては、第２部分３Ｂ及び第３部分３Ｃは、第１部分３Ａの幅方向Ｗに延びる中心線に対して略線対称な形状を有しているが、第２部分３Ｂ及び第３部分３Ｃは、異なった形状を有していてもよい。
【００２５】
また、第１部分３Ａの曲率半径は、第２部分３Ｂ及び第３部分３Ｃの曲率半径よりも小さく、第２部分３Ｂの曲率半径と第３部分３Ｃの曲率半径とは、略同一であり、第４部分４Ａ及び第５部分４Ｂの曲率半径は、第２部分３Ｂ及び第３部分３Ｃの曲率半径よりも大きい。本実施形態においては、第２部分３Ｂの曲率半径と第３部分３Ｃの曲率半径とは、略同一であるが、第２部分３Ｂの曲率半径と第３部分３Ｃの曲率半径とは、異なっていてもよい。
【００２６】
また、第２部分３Ｂ及び第３部分３Ｃの長手方向Ｌの外側に、幅方向Ｗに延びる溝部５Ａ、５Ｂ、６Ａ、６Ｂが形成されている。すなわち、溝部５Ａ、５Ｂ、６Ａ、６Ｂは、中央領域Ａの長手方向Ｌの外側に配置される。溝部５Ａ、５Ｂ、６Ａ、６Ｂの少なくとも１つの左右両端は、一対の溝１０、１０に連結されていない。すなわち、溝部５Ａ、５Ｂ、６Ａ、６Ｂの少なくとも１つの左右両端は、一対の溝１０、１０と離隔している。図１の例では、溝部５Ａ、５Ｂの左右両端が、一対の溝１０、１０に離隔している。他の例としては、溝部６Ａ、６Ｂの左右両端が、一対の溝１０、１０に離隔している。本実施形態では、溝部５Ａ、５Ｂ、６Ａ、６Ｂが示されているが、溝部５Ａ、５Ｂ及び／または溝部６Ａ、６Ｂが無くてもよい。
【００２７】
また、第２部分３Ｂと第４部分４Ａとは、幅方向Ｗの内側に湾曲するように形成されている溝１０の一部によって連結されており、第３部分３Ｃと第５部分４Ｂとは、幅方向Ｗの内側に湾曲するように形成されている溝１０の一部によって連結されている。
【００２８】
また、吸収体の長手方向Ｌの長さを、一般的な長さ（例えば、１４０ｍｍ〜４４０ｍｍ）とした場合、中央領域Ａの長手方向Ｌの長さは、４０ｍｍ以上であることが好ましく、６０ｍｍ〜１２０ｍｍであることがより好ましい。
【００２９】
また、吸収体の幅方向Ｗの長さを、一般的な長さ（例えば、４０ｍｍ〜１００ｍｍ）とした場合、中央領域Ａの幅方向Ｗの長さは、１０ｍｍ以上であることが好ましく、２５ｍｍ〜５０ｍｍであることがより好ましい。
【００３０】
図２に示すように、一対の溝１０、１０を形成する底面には、高圧搾部分１２と、高圧搾部分１２よりも低い段差をなす低圧搾部分１１とが設けられており、低圧搾部分１１は、連続するように構成されている。例えば、低圧搾部分１１は、図２に示すように、格子状に連続して配置されるように構成されている。高圧搾部分１２と、低圧搾部分１１とは、一対の溝１０、１０を形成する工程において、設けられる。一対の溝１０、１０は、周知の技術であるエンボス加工により、形成されることが好ましい。高圧搾部分１２は、表面シート及び吸収体が低圧搾部分１１よりも高圧縮され、表面シート及び吸収体を構成する繊維が低圧搾部分１１よりも高密度な領域である。高圧搾部分１２、及び低圧搾部分１１は、例えば、エンボス加工するための模様を有するロールを用いることによって形成されてもよい。この場合、上記ロールは、ロールの周方向に沿って形成される平面領域と、平面領域よりもロールの径方向に突出する突出領域とを備えている。高圧搾部分１２は、上記ロールにおいて、突出領域により形成される。低圧搾部分１１平面領域により形成される。本実施形態において、一対の溝１０、１０を形成する底面には、高圧搾部分１２と、低圧搾部分１１とが設けられているが、一対の溝１０、１０は、エンボス加工により連続的に平らに形成されてもよい。また、高圧搾部分１２と、低圧搾部分１１とは、それぞれ異なるパターンに形成されてもよい。
【００３１】
なお、本発明の第１の実施形態に係る吸収性物品１によれば、低圧搾部分１１が連続しており、高圧搾部分１２に、吸収層２内で溝が設けられていない領域が隣接していないことが好ましい。
【００３２】
かかる場合、ロールにより一対の溝１０、１０を形成するときに、高低差が極端に大きい部分が少なく、一対の溝１０、１０と吸収層２内で溝が設けられていない領域と間の境界で表面シートが破れにくい。
【００３３】
また、図３に示すように、第２部分３Ｂにおける幅方向Ｗの最も外側の部分を形成する側面１３Ｂ１に対向する側面１３Ｂ２及び第３部分３Ｃにおける幅方向Ｗの最も外側の部分を形成する側面１３Ｃ１に対向する側面１３Ｃ２を結ぶ仮想直線Ｖ１は、第１部分３Ａにおける幅方向Ｗの最も内側の部分を形成する側面１３Ａ１に対向する側面１３Ａ２よりも、幅方向Ｗの外側に位置するように構成されている。
【００３４】
すなわち、一対の溝１０、１０の各々は、幅方向において、内側の側面（内側のエッジ）と、外側の側面（外側のエッジ）とを有する。ここで、幅方向Ｗの外側に突出する曲線の頂点における、第２部分３Ｂ及び第３部分３Ｃの内側の側面は、第１部分３Ａの幅方向Ｗの外側の側面よりも幅方向Ｗの外側に位置する。
【００３５】
ここで、吸収性物品１が、使用者に着用された場合に、このように構成された第１部分３Ａ、第２部分３Ｂ及び第３部分３Ｃでは、以下のような現象が起きる。
【００３６】
第１に、かかる吸収性物品１が、使用者に着用された際に、幅方向Ｗの外側からの力が、上述の側面１３Ｂ１及び側面１３Ｃ１にかかる。
【００３７】
第２に、上述の側面１３Ｂ１及び側面１３Ｃ１にかかった力が、幅方向Ｗの内側に向かって、溝１０内を伝達していく。
【００３８】
第３に、第１部分３Ａに対して、隆起した吸収体から生じた幅方向Ｗの外側に向かう力及び溝１０内を伝達して幅方向Ｗの内側に向かう力がかかる。
【００３９】
第４に、第１部分３Ａにおいて、これらの力に対する剛性が低い箇所に歪みが生じ、かかる箇所を起点として、第１部分３Ａを形成する底面が垂直方向に立ち上がる。
【００４０】
一方、吸収性物品１が、使用者に着用された場合であっても、第２部分３Ｂ及び第３部分３Ｃを形成する底面は、垂直方向に立ち上がることなく、水平な状態を維持したままとなる。
【００４１】
なお、上述の仮想直線Ｖ１と、第１部分３Ａにおける幅方向Ｗの最も内側の部分を形成する側面１３Ａ１に対向する側面１３Ａ２における接線Ｖ２との間の距離Ｄは、０.５ｍｍ以上１５ｍｍ未満であることが好ましい。
【００４２】
これにより、第１部分３Ａにおいて上述の力に対する剛性が低くなり、第１部分３Ａを形成する底面が、垂直方向に容易に立ち上がる。
【００４３】
また、第１部分３Ａを形成する底面が垂直方向に立ち上がる起点を調整することが容易になる。
【００４４】
その結果、使用者が、かかる吸収性物品１の下着への装着位置が左右でずれた場合、左右で第１部分３Ａを形成する底面が垂直方向に立ち上がる起点がずれなくなり、最適な装着感を提供することが出来る。
【００４５】
これにより、使用者が座った場合に、隆起している吸収体に対して使用者の身体から与えられた力によって、かかる第１部分が折れ曲がってしまうという不具合が避けられる。
【００４６】
吸収性物品１によれば、中央領域Ａが、吸収性物品１を折り畳む際の２本の折り目１００Ａ、１００Ｂ２間に位置していることが好ましい。
【００４７】
これによれば、折り目１００Ａ、１００Ｂ２のシワにより、中央領域Ａにおける吸収体の肌当接面側への隆起が阻害されない。
【００４８】
吸収性物品１によれば、第２部分３Ｂの曲率半径と第３部分３Ｃの曲率半径とが略同一であり、第２部分３Ｂ及び第３部分３Ｃが中心線Ｘに対して略線対称な形状を有していることが好ましい。
【００４９】
これによれば、第１部分３Ａの立ち上がりが中心線Ｘに対して略線対称になり、中央領域Ａにおける吸収体の肌当接面側への隆起も中心線Ｘに対して略線対称になることで、中央領域Ａにおける吸収体の肌当接面側への隆起が安定にすることができる。
【００５０】
吸収性物品１によれば、一対の溝１０、１０を形成する底面には高圧搾部分１２及び低圧搾部分１１が設けられており、低圧搾部分１１は連続するように構成されていることが好ましい。
【００５１】
これによれば、一対の溝１０、１０を、身体に追従する柔軟性を残しながらも、剛性を向上させて変形を安定させることができる。
【００５２】
吸収性物品１によれば、前方領域Ｂ及び後方領域Ｃ内の一対の溝１０、１０の各々は、幅方向Ｗの外側に凸に湾曲するように形成されている第４部分４Ａ及び第５部分４Ｂを有していることが好ましい。
【００５３】
これによれば、前方領域Ｂ及び後方領域Ｃにおける吸収体も、中央領域Ａにおける吸収体と同様に隆起するため、万が一、中央領域Ａにおける吸収体で吸収し切れなかった経血が、前後方向に流れた場合、前方領域Ｂ及び後方領域Ｃにおける吸収体により、漏れ防止することができる。
【００５４】
吸収性物品１によれば、第４部分４Ａ及び第５部分４Ｂの曲率半径は、第２部分３Ｂ及び第３部分３Ｃの曲率半径よりも大きいことが好ましい。
【００５５】
これによれば、一対の溝１０、１０が、長手方向Ｌの前後方向に向かうに従って、幅方向Ｗの外側に広がり、足のそけい部の形状に沿う形状を実現することができる。
【００５６】
吸収性物品１によれば、第２部分３Ｂ及び第３部分３Ｃの長手方向Ｌの外側に、幅方向Ｗに延びる溝部５Ａ、５Ｂ、６Ａ、６Ｂが形成されていることが好ましい。
【００５７】
これによれば、経血を中央領域Ａにおける吸収体で吸収しきれずに、長手方向Ｌの前後方向に経血が流れた場合、高密度領域である溝部５Ａ、５Ｂ、６Ａ、６Ｂで経血をせき止めることができる。
【００５８】
また、中央領域Ａによれば、使用者に対して、中央領域Ａを明確に視認させることができるため、装着ズレを生じにくくすることができる。
【００５９】
吸収性物品１によれば、かかる溝部５Ａ、５Ｂ、６Ａ、６Ｂが、中央領域Ａの長手方向Ｌの外側に位置していることが好ましい。
【００６０】
これによれば、中央領域Ａにおける吸収体の隆起を阻害するという不具合を回避することができる。
【００６１】
吸収性物品１によれば、溝部５Ａ、５Ｂ、６Ａ、６Ｂの左右両端が一対の溝１０、１０と離隔していることが好ましい。
【００６２】
これによれば、中央領域Ａにおける吸収体を、ヨレを生じることなく肌当接面側に隆起させることができ、体液が漏れるのを防ぐことができる。
【００６３】
（変更例１）
図４を参照して、本発明の変更例１に係る吸収性物品１について説明する。上述した第１の実施形態では、吸収性物品１として昼用ナプキンが挙げられている例について説明したが、本変更例１では、吸収性物品１として夜用ナプキンが挙げられている例について、上述の第１の実施形態に係る吸収性物品１との相違点に着目して説明する。
【００６４】
図４に示すように、本変更例１に係る吸収性物品１は、３本の折り目１００Ａ、１００Ｂ２、１００Ｃによって折り畳まれて個包装されるように構成されていてもよい。かかる場合、中央領域Ａは、２本の折り目１００Ａ、１００Ｂ２間に位置していてもよい。
【００６５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【００６６】
なお、日本国特許出願第２００８−２３５４３９号（２００８年９月１２日出願）の全内容が、参照により、本願明細書に組み込まれている。
【産業上の利用可能性】
【００６７】
以上のように、本発明に係る吸収性物品は、使用者に着用された際に、吸収層の肌当接面側に設けられた溝を形成する底面によって、肌側に隆起した吸収体を支えることができるため、ナプキンや失禁パッドやオムツやパンティーライナー等の吸収性物品において有用である。
【図１】
2010030007.tif 000003
【図２】
2010030007.tif 000004
【図３】
2010030007.tif 000005
【図４】
2010030007.tif 000006
【国際調査報告】
2010030007.tif 000007
2010030007.tif 000008
2010030007.tif 000009
2010030007.tif 000010